(57)【要約】【課題】電子ビームのミスランディングを十分に抑制することができる陰極線管を提供することを目的とする。【解決手段】長辺フレーム１１ａ，１１ｂの長手方向における中央部近傍の外側壁面に、板状のスプリング取付け板１３ａ，１３ｂが取り付けられている。スプリング取付け板１３ａ，１３ｂに孔１７ａ，１７ｂが設けられている。内部磁気シールド２０の第２の長辺スカート部２４ａ，２４ｂの一部は、突き出し部２５ａ，２５ｂとして孔１７ａ，１７ｂから突き出すようにして形成されている。【選択図】  図１
2004311284.tif 000002
【特許請求の範囲】
【請求項１】
前面パネル及びファンネルからなる外囲器と、前記前面パネルに埋設されたパネルピンと、前記前面パネルの内面に形成された蛍光体スクリーンと、前記蛍光体スクリーンに対向して配置された色選別電極と、前記色選別電極を保持する略矩形枠状のフレームと、前記ファンネル内に配置された電子銃と、前記フレームに保持され、前記色選別電極より前記電子銃側に配置された内部磁気シールドと、を有する陰極線管であって、
前記内部磁気シールドは、長辺側部及び短辺側部を有する略四角錐台形状からなり、前記長辺側部の下側底辺には、長辺スカートが接続されて設けられ、
前記フレームは、対向する一対の長辺フレームと対向する一対の短辺フレームとからなり、前記長辺フレームには、前記パネルピンを係止するスプリングが取り付けられるスプリング取付け板が取り付けられており、
前記スプリング取付け板は、前記長辺スカートの一部を突き出すための孔を有し、
前記孔から突き出した長辺スカートの突き出し部が、前記長辺フレームの外側側壁に対向するように配置されていることを特徴とする陰極線管。
【請求項２】
前記突き出し部の長さが、３０ｍｍ以上であることを特徴とする請求項１記載の陰極線管。
【請求項３】
前記スプリング取付け板が、前記長辺フレームの長手方向における中央部近傍に取り付けられていることを特徴とする請求項１又は請求項２記載の陰極線管。
【発明の詳細な説明】
【０００１】
【発明の属する技術分野】
本発明は、陰極線管に関するものであり、特に、地磁気等の外部磁界による電子ビームのランディング位置ずれ（ミスランディング）を少なくする内部磁気シールドを備えた陰極線管に関するものである。
【０００２】
【従来の技術】
図７は、従来の陰極線管の概略構成を示した分解斜視図である。
【０００３】
以下の説明の便宜のために、図示したように、管軸を通り、かつ管軸に垂直な水平方向（長辺方向）軸をＸ軸、管軸を通り、かつ管軸に垂直な垂直方向（短辺方向）軸をＹ軸、管軸をＺ軸とするＸＹＺ−３次元直交座標系を設定する。
【０００４】
前面パネル１０１とファンネル１０２とが一体化されて外囲器を形成する。前面パネル１０１の内面には蛍光体スクリーン１０３が形成され、その上にアルミニウム薄膜層１０４が形成されている。
【０００５】
蛍光体スクリーン１０３から離間し、かつこれに対向して、色選別電極（例えばシャドウマスク）１０５がフレーム１１０に架張されて設置されている。
【０００６】
フレーム１１０は、所定距離だけ離間して平行に配置された一対の長辺フレーム１１１ａ，１１１ｂと、所定距離だけ離間して平行に配置された一対の短辺フレーム１１２ａ，１１２ｂとからなる。長辺フレーム１１１ａ，１１１ｂは、金属板を折り曲げて形成され、その自由端に色選別電極１０５が架張される。短辺フレーム１１２ａ，１１２ｂは、四角柱形状の金属柱を略コ字状になるように折り曲げて形成される。一対の長辺フレーム１１１ａ，１１１ｂと一対の短辺フレーム１１２ａ，１１２ｂとを略矩形枠状に組み合わせて、接合部を溶接してフレーム１１０が構成される。
【０００７】
フレーム１１０の長辺フレーム１１１ａ，１１１ｂ及び短辺フレーム１１２ａ，１１２ｂの外側壁面には、板状のスプリング取付け板（スプリングプレート）１１３ａ，１１３ｂ，１１４ａ，１１４ｂが取り付けられ、このスプリング取付け板１１３ａ，１１３ｂ，１１４ａ，１１４ｂに板バネ状のスプリング１１５ａ，１１５ｂ，１１６ａ，１１６ｂがそれぞれ取り付けられている。スプリング１１５ａ，１１５ｂ，１１６ａ，１１６ｂに設けられた孔に、前面パネル１０１の内面に埋設されたパネルピン１０６ａ，１０６ｂ，１０７ａ，１０７ｂ（パネルピン１０６ａ，１０７ａは図示せず）をそれぞれ嵌入し係止させることで、フレーム１１０は前面パネル１０１内に保持される。
【０００８】
ファンネル１０２のネック部１０２ａ内には電子銃（図示せず）が内蔵される。また、ファンネル１０２の外周面上には偏向ヨーク（図示せず）が設けられる。電子銃から射出された電子ビームは偏向ヨークによってＸ軸方向及びＹ軸方向に偏向されて、蛍光体スクリーン１０３上を走査する。
【０００９】
陰極線管に地磁気などの外部磁界が作用すると、電子ビームの軌道が変化して、電子ビームが蛍光体スクリーン１０３の所望する位置に到達せず、いわゆる「ミスランディング」を生じる。この結果、カラー陰極線管においては、色ずれなどの好ましくない現象が生じ、表示画像の品位を低下させる。外部磁界の方向は陰極線管の設置方向によって異なり、また、その大きさは陰極線管の設置位置によって異なる。したがって、陰極線管の設置方向や設置位置にかかわらず常に安定した画像表示を行なうためには、電子ビームを外部磁界から遮蔽するか、あるいは外部磁界を少なくともミスランディングを生じない方向の磁界に変換する必要がある。このような目的のため、Ｚ軸方向においてフレーム１１０と偏向ヨークとの間の領域に内部磁気シールド１２０が設置されている。
【００１０】
図８は内部磁気シールド１２０の概略斜視図である。
【００１１】
内部磁気シールド１２０は、全体として略四角錐台形状であり、略台形状の対向する一対の長辺側板１２１ａ，１２１ｂと、略台形状の対向する一対の短辺側板１２２ａ，１２２ｂとを有する。
【００１２】
長辺側板１２１ａ，１２１ｂの下側底辺（フレーム１１０側の辺）には、Ｘ−Ｙ平面と略平行になるように屈曲された第１の長辺スカート部１２３ａ，１２３ｂとＸ−Ｚ平面と略平行になるように屈曲された第２の長辺スカート部１２４ａ，１２４ｂからなる長辺スカートが形成されている（第１及び第２の長辺スカート部１２３ｂ，１２４ｂは図示せず）。
【００１３】
短辺側板１２２ａ，１２２ｂの下側底辺（フレーム１１０側の辺）には、Ｘ−Ｙ平面と略平行になるように屈曲された第１の短辺スカート部１２５ａ，１２５ｂとＹ−Ｚ平面と略平行になるように屈曲された第２の短辺スカート部１２６ａ，１２６ｂからなる短辺スカートが形成されている（第１及び第２の短辺スカート部１２５ｂ，１２６ｂは図示せず）。また、フレーム１１０の短辺フレーム１１２ａ，１１２ｂと接合するための接合部１２７ａ，１２７ｂが形成されている。
【００１４】
図９は、フレーム１１０、内部磁気シールド１２０及びエレクトロンシールド板を一体化させた色選別構体の側面図である。
【００１５】
内部磁気シールド１２０の接合部１２７ａ，１２７ｂを短辺フレーム１１２ａ，１１２ｂの電子銃側の面に当接させながら、第２の長辺スカート部１２４ａ，１２４ｂ（第２の長辺スカート部１２４ｂは図示せず）と長辺フレーム１１１ａ，１１１ｂ（長辺フレーム１１１ｂは図示せず）の外側壁面とを点溶接することで、内部磁気シールド１２０はフレーム１１０に一体化される。
【００１６】
第２の長辺スカート部１２４ａ，１２４ｂには、長辺フレーム１１１ａ，１１１ｂに取り付けられたスプリング取付け板１１３ａ，１１３ｂ（スプリング取付け板１１３ｂは図示せず）及びスプリング１１５ａ，１１５ｂとの干渉を避けるための切り欠き１２８ａ，１２８ｂ（切り欠き１２８ｂは図示せず）が形成されている。
【００１７】
また、図示しないが、内部磁気シールド１２０の短辺側板１２２ａ，１２２ｂに接続する第１の短辺スカート部１２５ａ，１２５ｂと短辺フレーム１１２ａ，１１２ｂの電子銃側面との間に、電子ビームを遮光する枠状のエレクトロンシールド板が配置されている。
【００１８】
この場合、内部磁気シールド１２０の長辺側板１２１ａ，１２１ｂから吸収された管軸磁界は、エレクトロンシールド板の管軸側端部から管軸方向に噴き出し、Ｙ軸方向の磁界Ｂｙが発生する。従って、電子ビームのミスランディングが生じるという問題があった。このミスランディングを防止する陰極線管の一例が特許文献１に記載されている。これは、内部磁気シールド１２０の長辺側板１２１ａ，１２１ｂの下側底辺に沿って横長スリットを設けるというものである。
【００１９】
【特許文献１】
特開２００２−１５０６９４号公報
【００２０】
【発明が解決しようとする課題】
しかしながら、特許文献１に係る陰極線管では、管軸磁界に対してはミスランディング防止の効果はあるものの、垂直磁界に対してはその効果が少なく電子ビームのミスランディングを十分に改善できていないという問題があった。
【００２１】
本発明は、このような問題を解決するためになされたものであり、電子ビームのミスランディングを十分に抑制することができる陰極線管を提供することを目的とする。
【００２２】
【課題を解決するための手段】
本発明に係る陰極線管は前面パネル及びファンネルからなる外囲器と、前記前面パネルに埋設されたパネルピンと、前記前面パネルの内面に形成された蛍光体スクリーンと、前記蛍光体スクリーンに対向して配置された色選別電極と、前記色選別電極を保持する略矩形枠状のフレームと、前記ファンネル内に配置された電子銃と、前記フレームに保持され、前記色選別電極より前記電子銃側に配置された内部磁気シールドと、を有する陰極線管であって、前記内部磁気シールドは、長辺側部及び短辺側部を有する略四角錐台形状からなり、前記長辺側部の下側底辺には、長辺スカートが接続されて設けられ、前記フレームは、対向する一対の長辺フレームと対向する一対の短辺フレームとからなり、前記長辺フレームには、前記パネルピンを係止するスプリングが取り付けられるスプリング取付け板が取り付けられており、前記スプリング取付け板は、前記長辺スカートの一部を突き出すための孔を有し、前記孔から突き出した長辺スカートの突き出し部が、前記長辺フレームの外側側壁に対向するように配置されていることを特徴とするものである。
【００２３】
これにより、管軸磁界のみならず垂直磁界に対しても十分に磁気シールド効果を高めることができる。従って、地磁気等の外部磁界による電子ビームのミスランディングを十分に抑制することができる。
【００２４】
また、前記突き出し部の長さが、３０ｍｍ以上であることが好ましい。
【００２５】
また、前記スプリング取付け板が、前記長辺フレームの長手方向における中央部近傍に取り付けられていることが好ましい。
【００２６】
【発明の実施の形態】
以下、本発明の実施形態に係る陰極線管について、図面を用いて説明する。
【００２７】
図１は、本発明の実施形態に係る陰極線管の概略構成を示した分解斜視図である。尚、ＸＹＺ−３次元直交座標系については上述した通りであるのでその説明は省略する。
【００２８】
図１に示すように、前面パネル１とファンネル２とが一体化されて外囲器を形成する。前面パネル１の内面には蛍光体スクリーン３が形成され、その上にアルミニウム薄膜層４が形成されている。尚、ファンネル２のネック部２ａ内には電子銃（図示せず）が内蔵され、ファンネル２の外周面上には偏向ヨーク（図示せず）が設けられている。
【００２９】
蛍光体スクリーン３から離間し、かつこれに対向して、色選別電極（例えばシャドウマスク）５がフレーム１０に架張されて設置されている。
【００３０】
フレーム１０は、所定距離だけ離間して平行に配置された一対の長辺フレーム１１ａ，１１ｂと、所定距離だけ離間して平行に配置された一対の短辺フレーム１２ａ，１２ｂとからなる。長辺フレーム１１ａ，１１ｂは、金属板を断面が略三角形状になるように折り曲げて形成され、その自由端に色選別電極５が架張される。短辺フレーム１２ａ，１２ｂは、四角柱形状の金属柱を略コ字状になるように折り曲げて形成される。一対の長辺フレーム１１ａ，１１ｂと一対の短辺フレーム１２ａ，１２ｂとを略矩形枠状に組み合わせて、接合部を溶接してフレーム１０が構成される。
【００３１】
長辺フレーム１１ａ，１１ｂ及び短辺フレーム１２ａ，１２ｂの長手方向における中央部近傍には、板状のスプリング取付け板（スプリングプレート）１３ａ，１３ｂ，１４ａ，１４ｂ（スプリング取付け板１４ａ，１４ｂは図示せず）が取り付けられている。また、スプリング取付け板１３ａ，１３ｂ，１４ａ，１４ｂには板バネ状のスプリング１５ａ，１５ｂ，１６ａ，１６ｂがそれぞれ取り付けられる（スプリング１６ａ，１６ｂは図示せず）。また、スプリング１５ａ，１５ｂ，１６ａ，１６ｂに設けられた孔に、前面パネル１の内面に埋設されたパネルピン６ａ，６ｂ，７ａ，７ｂ（パネルピン６ａ，７ａは図示せず）をそれぞれ嵌入し係止させることで、フレーム１０は前面パネル１内に保持される。
【００３２】
また、長辺フレーム１１ａ，１１ｂに取り付けられたスプリング取付け板１３ａ，１３ｂには横長の孔１７ａ，１７ｂが、長辺フレーム１１ａ，１１ｂの電子銃側の近傍に位置するように設けられている。この孔１７ａ，１７ｂは、以下に説明する内部磁気シールドの長辺スカートの一部を突き出すためのものである。
尚、スプリング取付け板１３ａ，１３ｂは、板状体の中央部近傍に矩形状の孔１７ａ，１７ｂを設け、孔１７ａ，１７ｂの対向する短辺の中央を結ぶ線が折り曲げ線となるように板状体を約９０度に折り曲げて形成されたものであり、その折り曲げの鋭角側が管軸方向に向くように長辺フレーム１１ａ，１１ｂの電子銃側側壁に配置し、溶接して固定している。
【００３３】
フレーム１０の電子銃側には磁性体からなる内部磁気シールド２０が配置されている。この内部磁気シールド２０は、略台形状の対向する一対の長辺側板（長辺側部）２１ａ，２１ｂと、略台形状の対向する一対の短辺側板（短辺側部）２２ａ，２２ｂとを有し、全体として略四角錐台形状の一部の面を形成するように接合して構成される。尚、本実施形態に係る陰極線管の内部磁気シールドの略四角錐形状には、図１に示したものの他、対向する一対の長辺側板と対向する一対の短辺側板が一体となって湾曲形成することで全体としてドーム型形状としたものも含まれる。
【００３４】
長辺側板２１ａ，２１ｂのフレーム１０側の辺（下側底辺）には、Ｘ−Ｙ平面と略平行になるように屈曲された第１の長辺スカート部２３ａ，２３ｂとＸ−Ｚ平面と略平行になるように屈曲された第２の長辺スカート部２４ａ，２４ｂからなる長辺スカートが形成されている（第１及び第２の長辺スカート部２３ｂ，２４ｂは図示せず）。第２の長辺スカート部２４ａ，２４ｂの一部は、突き出し部２５ａ，２５ｂ（突き出し部２５ｂは図示せず）として形成されている。
【００３５】
図２は、フレーム１０、内部磁気シールド２０及びエレクトロンシールド板３０を一体化させた色選別構体の斜視図である。
【００３６】
長辺フレーム１１ａ，１１ｂの上に枠状のエレクトロンシールド板３０をその長辺部分が位置するように配置し、エレクトロンシールド板３０の長辺部分の上に内部磁気シールド２０の第１の長辺スカート部２３ａ，２３ｂが位置するように配置して、フレーム１０、内部磁気シールド２０及びエレクトロンシールド板３０を固定することで一体化される。尚、フレーム１０、内部磁気シールド２０及びエレクトロンシールド板３０は、それぞれに設けられた貫通孔にクリップを貫通することによって固定したり、それぞれ溶接したりすることにより一体化することができる。尚、本実施形態では、図１に示す×印を溶接点としてこれらを溶接している。
【００３７】
また、一体化する際、内部磁気シールド２０の突き出し部２５ａ，２５ｂは、スプリング取付け板１３ａ，１３ｂに設けられた孔１７ａ，１７ｂから突き出すようにして構成され、長辺フレーム１１ａ，１１ｂの外側側壁に対向するように配置されている。突き出し部２５ａ，２５ｂと長辺フレーム１１ａ，１１ｂの外側側壁とは溶接固定されている。
【００３８】
尚、本実施形態に係る一体化させた色選別構体においては、内部磁気シールド２０の短辺側板２２ａ，２２ｂが短辺フレーム１２ａ，１２ｂの内側に位置するように配置されたものを用いた。
【００３９】
次に、本実施形態に係る陰極線管の磁気シールドの作用について図３、図４を用いて説明する。
【００４０】
図３は、従来及び本実施形態に係る陰極線管についての管軸磁界に対する磁気シールドの作用を示したものである。
【００４１】
図３（ａ）に示すように、従来の陰極線管に管軸磁界Ｂｚが通った場合、この管軸磁界Ｂｚによって磁気シールド１２０の長辺側板１２１ａ，１２１ｂの上端部及び下端部に磁極が現れる。これにより、内部磁気シールド１２０に吸い込まれた磁束及びその周辺の磁束は下端部方向に流れるが、従来の陰極線管の内部磁気シールド１２０の第２の長辺スカート部１２４ａ，１２４ｂには切り欠き１２８ａ，１２８ｂが設けられているので、この部分で磁束が磁気シールド１２０の内部に漏れ出してしまう。
【００４２】
一方、図３（ｂ）に示すように、本実施形態に係る陰極線管に管軸磁界Ｂｚが通った場合においても、管軸磁界Ｂｚによって磁気シールド２０の長辺側板２１ａ，２１ｂの上端部２６及び下端部２７に磁極が現れる。しかし、本実施形態に係る陰極線管は従来の陰極線管と異なり、内部磁気シールド２０の第２の長辺スカート部２４ａ，２４ｂには、突き出し部２５ａ，２５ｂが設けられているので、色選別電極５に流れる磁束４０を増やすことができる。つまり、内部磁気シールド２０に吸い込まれた磁束及びその周辺の磁束のほとんどが、磁気シールド２０の上端部２６から下端部２７を通り色選別電極５に流れるので、磁気シールド２０の内部に漏れ出す磁束を低減することができる。
【００４３】
次に、垂直磁界に対する磁気シールドの作用について図４を用いて説明する。尚、図４は、従来及び本実施形態に係る陰極線管についての垂直磁界に対する磁気シールドの作用を示したものである。
【００４４】
図４（ａ）に示すように、従来の陰極線管に垂直磁界Ｂｙが通った場合、第２の長辺スカート部１２４ａ，１２４ｂに設けられた切り欠き１２８ａ，１２８ｂから内部磁気シールド１２０に吸収された磁束４１が内部磁気シールドの内側に漏れ出して電子ビームに影響を与える（図では切り欠き１２８ａから磁束が漏れ出した状態を示している）。
【００４５】
一方、図４（ｂ）に示すように、本実施形態に係る陰極線管に垂直磁界Ｂｙが通った場合、突き出し部２５ａ，２５ｂが設けられているため、内部磁気シールド２０に吸収された磁束（特に色選別電極５近傍の磁束）は内部磁気シールドの内側に漏れ出すことがなくなり、漏れ出し磁束による電子ビームへの影響がなくなる。
【００４６】
次に、本実施形態に係る陰極線管の磁気シールドの効果に関する実験を行ったので図５を用いて説明する。この実験は、画面サイズが３８インチの本実施形態に係る陰極線管（本発明品）において、突き出し部の幅（突き出しの長さ（略管軸方向の長さ））を０〜１００（ｍｍ）の範囲で変更して行った。尚、幅が０（ｍｍ）の場合の陰極線管（図５（ｂ）参照）は突き出し部のない従来に係る陰極線管（従来品）と実質的に同一である。また、５０μＴの管軸磁界及び４５μＴの垂直磁界の磁界中における電子ビームの移動量を測定した。尚、図５（ａ）は、突き出し部が０（ｍｍ）の場合（従来品）の電子ビームの移動量を１００％とし、突き出し部の幅を変更した場合における各電子ビームの移動量を示している。尚、図５（ｃ）に示すように、画面上下の中央部近傍をＮＳ部と称し、ＮＳ部と画面上下の左右端との間の中間近傍を中間部と称す。
【００４７】
図５（ａ）に示すように、本発明品は従来品（突き出し部の幅が０ｍｍ）に対し、管軸磁界に対するＮＳ部の電子ビーム移動量、管軸磁界に対する中間部の電子ビーム移動量及び垂直磁界に対するＮＳ部の電子ビーム移動量、いずれの部分においても電子ビーム移動量が低減されていることが分かる。
【００４８】
また、図５（ａ）に示すように、突き出し部の幅を約３０ｍｍ以上とすると電子ビーム移動量の低減効果は安定することが分かったので、突き出し部の幅は約３０ｍｍ以上とすることが好ましい。また、同図５（ａ）に示すように、突き出し部の幅が３０ｍｍ以上の場合においては、本発明品は従来品に対し、管軸磁界に対するＮＳ部の電子ビーム移動量は約１６％低減し、管軸磁界に対する中間部の電子ビーム移動量は約１０％低減し、垂直磁界に対するＮＳ部の電子ビーム移動量は約１９％低減していることが分かる。尚、図示しないが、垂直磁界に対する中間部の電子ビーム移動量は５％低減していた。
【００４９】
以上、本実施形態に係る陰極線管において、スプリング取付け板１３ａ，１３ｂは、長辺フレーム１１ａ，１１ｂの長手方向における中央部近傍に取り付けたものについて説明したが、その取付け位置は中央部近傍以外であっても構わない。この場合でも上述同様の電子ビーム移動量の低減効果を得ることができる。例えば、図６に示すように、スプリング取付け板１３ａを中央近傍から左側に約１５０ｍｍずらした位置に取り付けても構わない（スプリング取付け板１３ｂも左側にずらしている）。また、この変形例に係る陰極線管（変形品）の従来品に対する電子ビーム移動量の効果（突き出し部の幅は３０ｍｍの場合）に関しては、管軸磁界に対するＮＳ部の電子ビーム移動量については約７％低減し、管軸磁界に対する中間部の電子ビーム移動量については約１５％低減し、垂直磁界に対するＮＳ部の電子ビーム移動量については約５％低減し、垂直磁界に対する中間部の電子ビーム移動量については約１０％低減していることが分かった。
【００５０】
尚、本実施形態に係る陰極線管は、スプリング及びスプリング取付け板をフレーム１０の上下左右の４箇所にそれぞれ取り付けたものについて説明したが、フレーム１０のコーナー部及び長辺フレームの併せて６ヶ所にスプリング及びスプリング取付け板を設け、少なくとも長辺フレームのスプリング取付け板に孔を設け、この孔に内部磁気シールドの長辺スカート部の一部を突き出す構造としても構わない。
【００５１】
また、本実施形態に係る陰極線管は、テンション型の色選別電極の場合について説明したが、プレス成型によるプレス型の色選別電極であっても構わない。尚、内部磁気シールドのシールド効果としては、本実施形態に係るテンション型の色選別電極の方がプレス型のものに対して大きい。
【００５２】
【発明の効果】
以上説明したように、本発明に係る陰極線管は、長辺フレームに取り付けられたスプリング取付け板に、内部磁気シールドの長辺スカートの一部を突き出すための孔を設け、当該孔から長辺スカートの一部を突き出した構造としたことにより、管軸磁界のみならず垂直磁界に対しても十分に磁気シールド効果を高めることができる。従って、地磁気等の外部磁界による電子ビームのミスランディングを十分に抑制することができ、画面色ムラが大幅に軽減した陰極線管を提供することができる。
【図面の簡単な説明】
【図１】本発明の実施形態に係る陰極線管の概略構成を示した分解斜視図
【図２】本発明の実施形態に係る陰極線管のフレーム、内部磁気シールド及びエレクトロンシールド板を一体化した色選別構体の斜視図
【図３】（ａ）管軸磁界に対する従来の陰極線管の磁気シールドの作用を示す図
（ｂ）管軸磁界に対する本発明の実施形態に係る陰極線管の磁気シールドの作用を示す図
【図４】（ａ）垂直磁界に対する従来の陰極線管の磁気シールドの作用を示す図
（ｂ）垂直磁界に対する本発明の実施形態に係る陰極線管の磁気シールドの作用を示す図
【図５】（ａ）本発明の実施形態に係る陰極線管における突き出し部の幅長と電子ビーム移動量との関係を示す図
（ｂ）本発明の実施形態に係る陰極線管において突き出し部の幅長が０ｍｍの陰極線管（実質的に従来の陰極線管と同一）のフレーム、内部磁気シールド及びエレクトロンシールド板を一体化した色選別構体の斜視図
（ｃ）陰極線管の画面領域を示す図
【図６】本発明の変形例に係る陰極線管のフレーム、内部磁気シールド及びエレクトロンシールド板を一体化した色選別構体の斜視図
【図７】従来の陰極線管の概略構成を示した分解斜視図
【図８】従来の陰極線管の内部磁気シールドを示した概略斜視図
【図９】従来の陰極線管のフレーム、内部磁気シールド及びエレクトロンシールド板を一体化した色選別構体の側面図
【符号の説明】
１  前面パネル
２  ファンネル
３  蛍光体スクリーン
４  アルミニウム薄膜層
５  色選別電極
６ａ，６ｂ，７ａ，７ｂ  パネルピン
１０  フレーム
１１ａ，１１ｂ  長辺フレーム
１２ａ，１２ｂ  短辺フレーム
１３ａ，１３ｂ，１４ａ，１４ｂ  スプリング取付け板
１５ａ，１５ｂ，１６ａ，１６ｂ  スプリング
１７ａ，１７ｂ  孔
２０  内部磁気シールド
２１ａ，２１ｂ  長辺側板
２２ａ，２２ｂ  短辺側板
２３ａ，２３ｂ  第１の長辺スカート部
２４ａ，２４ｂ  第２の長辺スカート部
２５ａ，２５ｂ  突き出し部
３０  エレクトロンシールド板
【図１】
2004311284.tif 000003
【図２】
2004311284.tif 000004
【図３】
2004311284.tif 000005
【図４】
2004311284.tif 000006
【図５】
2004311284.tif 000007
【図６】
2004311284.tif 000008
【図７】
2004311284.tif 000009
【図８】
2004311284.tif 000010
【図９】
2004311284.tif 000011